(57)【特許請求の範囲】
【請求項１】
エレベータ用のドアに固定され、かつ敷居の溝内に挿入されたドアガイドシューにより、前記ドアが前記溝に沿って案内されるエレベータの敷居清掃装置において、
前記溝に対向し、前記ドアの開閉にしたがって移動するフレームと、
前記溝内に挿入されたブラシ毛を有するブラシと、
前記ドアガイドシューとは独立して前記フレームの下面に前記ブラシを取り外し可能に固定し且つ軸部および頭部を有する止めネジと、を備え、
前記フレームは、前記軸部を上下方向で挿通させる取付孔を備え、
前記ブラシは、前記ブラシ毛が植毛されかつ前記取付孔に挿通された前記軸部が螺合する取付片を備え、
前記フレームは、さらに、前記ブラシ毛および前記取付片の全体を上下方向で挿通させる挿入孔を備え、
前記取付孔は、前記挿入孔に連続している、
ことを特徴とするエレベータの敷居清掃装置。
【請求項２】
前記ブラシは、前記ドアガイドシューよりも前記ドアの閉方向の先頭側に配置される、請求項１に記載のエレベータの敷居清掃装置。
【請求項３】
前記フレームは、前記取付孔の周りで前記止めネジからのトルクを受ける受け部を備え、
前記ブラシは、前記トルクを伝達可能に前記取付片に連結されかつ前記受け部に当たるトルク伝達部を備える、
請求項１または２に記載のエレベータの敷居清掃装置。
【請求項４】
前記受け部は、前記取付孔の内周面の少なくとも一部で構成される、
請求項３に記載のエレベータの敷居清掃装置。
【請求項５】
前記取付孔の前記内周面は、平面を有し、
前記トルク伝達部は、前記平面に対向する平面である、請求項４に記載のエレベータの敷居清掃装置。
【請求項６】
前記受け部は、前記挿入孔の内周面であり、
前記トルク伝達部は、前記トルクを伝達可能に前記取付片に連結され、かつ前記フレームに沿って配置される支持板と、前記支持板から前記挿入孔内に突出する突出部と、を備える、
請求項３に記載のエレベータの敷居清掃装置。
【請求項７】
前記トルク伝達部は、前記取付片に取り外し可能に連結される、
請求項６に記載のエレベータの敷居清掃装置。
【請求項８】
前記突出部は、前記支持板に螺合される突出ネジである、
請求項６に記載のエレベータの敷居清掃装置。
【請求項９】
前記突出部は、前記支持板から屈曲して延びる、
請求項６に記載のエレベータの敷居清掃装置。
【請求項１０】
エレベータの敷居清掃装置のブラシを保持するための取付治具であって、
前記エレベータの敷居清掃装置は、
エレベータ用のドアに固定され、かつ敷居の溝内に挿入されたドアガイドシューにより、前記ドアが前記溝に沿って案内され、
前記溝に対向し、前記ドアの開閉にしたがって移動するフレームと、前記溝内に挿入されたブラシ毛を有するブラシと、前記ドアガイドシューとは独立して前記フレームの下面に前記ブラシを取り外し可能に固定し且つ軸部および頭部を有する止めネジと、を備え、
前記フレームは、前記軸部を上下方向で挿通させる取付孔と、前記取付孔の周りで前記止めネジからのトルクを受ける受け部とを備え、
前記ブラシは、前記ブラシ毛が植毛されかつ前記取付孔に挿通された前記軸部が螺合する取付片と、前記トルクを伝達可能に前記取付片に連結されかつ前記受け部に当たるトルク伝達部とを備え、
前記取付片が、前記取付片の前記フレームへの取付面である上面に対して垂直で互いに平行な一対の側面と、前記一対の側面の上端からそれぞれ相反する方向に延びる一対の下面とを有し、
前記一対の側面間の距離に略等しい間隔を空けて配置され、相互に固定され、かつ平行に延びる一対の軸状部を備える、取付治具。
【発明の詳細な説明】
【技術分野】
【０００１】
本発明は、エレベータ用のドアに固定されたドアガイドシューにより、前記ドアが敷居の溝に沿って案内されるエレベータの敷居清掃装置および取付治具に関する。
【背景技術】
【０００２】
エレベータのかごおよび乗場に設けられるエレベータ用のドアは、敷居の上方に配置されたドアパネルと、ドアパネルに固定されかつ上向きに開放された敷居の溝内に挿入されたドアガイドシューとを備えている。ドアパネルは、ドアガイドシューにより敷居の溝に沿って案内される。エレベータへの乗り降りに際して、人または物品が敷居を通過するので、人または物品から落下したゴミが敷居の溝に溜まることがある。その結果、ドアの開閉動作に不具合が発生する場合がある。このような不具合を避けるために、従来、敷居の溝を清掃するためのエレベータ用のドアの敷居清掃装置が提案されている（例えば、特許文献１、２参照）。
【０００３】
このような敷居清掃装置は、ドアパネルに固定されるドアガイドシューと一体でありかつ敷居の溝に対向する取付金具と、溝内に挿入されたブラシ毛を有しかつ取付金具に固定されたブラシと、を備えている。このような敷居清掃装置では、ドアパネルの移動に伴ってブラシが溝内を移動するので、溝内のゴミがブラシによって押し出される。この結果、溝が清掃される。
【先行技術文献】
【特許文献】
【０００４】
【特許文献１】特開平８−２８６４号公報
【特許文献２】特開２０１０−４２９０６号公報
【発明の概要】
【発明が解決しようとする課題】
【０００５】
使用に伴ってブラシには、劣化または摩耗などの不具合が発生するので、ブラシを交換する必要がある。ところが、上述した敷居清掃装置では、ブラシは、ドアガイドシューを介して間接的にドアに固定されている。このため、ブラシを交換する際に、ドアガイドシューをブラシと共にドアから取り外す必要がある。ここで、ドアガイドシューと敷居の溝とのクリアランスを適切にするように、ドアに対するドアガイドシューの取り付け位置は調整されている。このような背景から、ブラシの交換の度にドアガイドシューの調整作業が必要となる。このため、ブラシの交換は、作業工数の増大を招いていた。
【０００６】
本発明は、ドアガイドシューをエレベータ用ドアのフレームから取り外すことなく、ブラシの交換を可能にする敷居清掃装置および取付治具を提供することを課題とする。
【課題を解決するための手段】
【０００７】
本発明に係るエレベータの敷居清掃装置は、
エレベータ用のドアに固定され、かつ敷居の溝内に挿入されたドアガイドシューにより、前記ドアが前記溝に沿って案内されるエレベータの敷居清掃装置において、
前記溝に対向し、前記ドアの開閉にしたがって移動するフレームと、
前記溝内に挿入されたブラシ毛を有するブラシと、
前記ドアガイドシューとは独立して前記フレームの下面に前記ブラシを取り外し可能に固定し且つ軸部および頭部を有する止めネジと、を備え、
前記フレームは、前記軸部を上下方向で挿通させる取付孔を備え、
前記ブラシは、前記ブラシ毛が植毛されかつ前記取付孔に挿通された前記軸部が螺合する取付片を備え、
前記フレームは、さらに、前記ブラシ毛および前記取付片の全体を上下方向で挿通させる挿入孔を備え、
前記取付孔は、前記挿入孔に連続している。
【０００８】
かかる構成によれば、固定部材による固定が解除されると、ブラシはフレームから取り外される。このため、ブラシは、ドアガイドシューの固定および取り外しと関係なく、固定されかつ取り外される。したがって、前記エレベータの敷居清掃装置は、ドアガイドシューをエレベータ用ドアのフレームから取り外すことなく、ブラシを交換することを可能にする。
また、かかる構成によれば、止めネジが取付片に部分的に締め付けられると、止めネジは取付片に固定され、かつ止めネジの頭部と取付片との間で止めネジの軸部が露出する。この状態で、止めネジの頭部がフレームの上方に残されたまま、ブラシ毛および取付片は、フレームの上方から挿入孔を経由してフレームの下方に入ることができる。この状態で、止めネジの頭部がフレームの上方に残されたまま、ブラシ毛および取付片は、取付孔に沿って移動できる。止めネジの頭部が保持されている限り、ブラシの脱落が防止される。したがって、前記エレベータの敷居清掃装置は、敷居の溝を経由することなく、フレームの上方からブラシを交換することを可能にする。
【０００９】
本発明に係るエレベータの敷居清掃装置の一態様として、
前記ブラシは、前記ドアガイドシューよりも前記ドアの閉方向の先頭側に配置されてもよい。
【００１０】
かかる構成によれば、ドアがエレベータの出入口を開放しているときに、開放された出入口において敷居の溝が上向きに開放されている。この状態で、ブラシは、溝の開放領域からフレームの下方に配置できる。したがって、前記エレベータの敷居清掃装置は、溝内でブラシを交換することを可能にする。
【００１１】
本発明に係るエレベータの敷居清掃装置の他態様は、
前記フレームは、前記取付孔の周りで前記止めネジからのトルクを受ける受け部を備え、
前記ブラシは、前記トルクを伝達可能に前記取付片に連結されかつ前記受け部に当たるトルク伝達部を備えてもよい。
【００１２】
かかる構成によれば、止めネジがフレームの取付孔を介して取付片に締め付けられると、軸部が取付片に螺合され、その結果、取付片がフレームに固定される。また、固定された取付片に螺合している止めネジが緩められると、軸部の螺合が解除され、その結果、取付片はフレームから外される。また、止めネジが締め付けられる際、または止めネジが緩められる際に、止めネジからのトルクは、取付片およびトルク伝達部を介して受け部で受けられる。この結果、止めネジからのトルクが発生しても、ブラシは、フレームに対して回転しない。したがって、前記エレベータの敷居清掃装置は、ブラシを共回りさせることなく、止めネジを取付片に対して締め付けることおよび緩めることを可能にする。
【００１３】
本発明に係るエレベータの敷居清掃装置の別の態様として、
前記受け部は、前記取付孔の内周面の少なくとも一部で構成されてもよい。
【００１４】
かかる構成によれば、取付孔の内周面が受け部として利用される。したがって、前記エレベータの敷居清掃装置は、専用の受け部を設ける必要がなく、構造を簡素化できる。
【００１５】
本発明に係るエレベータの敷居清掃装置のさらに別の態様として、
前記取付孔の前記内周面は、平面を有し、
前記トルク伝達部は、前記平面に対向する平面であってもよい。
【００１６】
かかる構成によれば、前記エレベータの敷居清掃装置は、受け部およびトルク伝達部がそれぞれ平面を有すればよいので、トルク伝達部および受け部の構成を簡素化できる。
【００１９】
本発明に係るエレベータの敷居清掃装置のさらに別の態様として、
前記受け部は、前記挿入孔の内周面であり、
前記トルク伝達部は、前記トルクを伝達可能に前記取付片に連結され、かつ前記フレームに沿って配置される支持板と、前記支持板から前記挿入孔内に突出する突出部と、を備えてもよい。
【００２０】
かかる構成によれば、挿入孔の内周面が受け部として利用される。したがって、前記エレベータの敷居清掃装置は、専用の受け部を設ける必要がなく、構造を簡素化できる。
【００２１】
本発明に係るエレベータの敷居清掃装置のさらに別の態様として、
前記トルク伝達部は、前記取付片に取り外し可能に連結されてもよい。
【００２２】
かかる構成によれば、前記エレベータの敷居清掃装置は、ブラシの組立ての自由度を向上できる。
【００２３】
本発明に係るエレベータの敷居清掃装置のさらに別の態様として、
前記突出部は、前記支持板に螺合される突出ネジであってもよい。
【００２４】
かかる構成によれば、支持板に対する突出ネジのねじ込み量に応じて、突出ネジが支持板から下方に突出する長さが変化する。したがって、前記エレベータの敷居清掃装置は、受け部へのトルク伝達部の当りの具合を調節できる。
【００２５】
本発明に係るエレベータの敷居清掃装置のさらに別の態様として、
前記突出部は、前記支持板から屈曲して延びてもよい。
【００２６】
かかる構成によれば、前記エレベータの敷居清掃装置は、支持板および突出部を容易に構成できる。
【００２７】
本発明に係る取付治具は、エレベータの敷居清掃装置のブラシを保持するための取付治具であって、
前記エレベータの敷居清掃装置は、
エレベータ用のドアに固定され、かつ敷居の溝内に挿入されたドアガイドシューにより、前記ドアが前記溝に沿って案内され、
前記溝に対向し、前記ドアの開閉にしたがって移動するフレームと、前記溝内に挿入されたブラシ毛を有するブラシと、前記ドアガイドシューとは独立して前記フレームの下面に前記ブラシを取り外し可能に固定し且つ軸部および頭部を有する止めネジと、を備え、
前記フレームは、前記軸部を上下方向で挿通させる取付孔と、前記取付孔の周りで前記止めネジからのトルクを受ける受け部とを備え、
前記ブラシは、前記ブラシ毛が植毛されかつ前記取付孔に挿通された前記軸部が螺合する取付片と、前記トルクを伝達可能に前記取付片に連結されかつ前記受け部に当たるトルク伝達部とを備え、
前記取付片が、前記取付片の前記フレームへの取付面である上面に対して垂直で互いに平行な一対の側面と、前記一対の側面の上端からそれぞれ相反する方向に延びる一対の下面とを有し、
前記一対の側面間の距離に略等しい間隔を空けて配置され、相互に固定され、かつ平行に延びる一対の軸状部を備える。
【００２８】
かかる構成によれば、取付片の一対の下面の下方で、一対の軸状部が取付片の２つの側面を挟むように、取付治具がブラシに取り付けられると、ブラシが取付治具によって支持される。ブラシが取付治具によって支持されているとき、ブラシに止めネジからのトルクが加えられても、ブラシは、取付治具に対して回転しない。したがって、前記エレベータの敷居清掃装置は、取付治具でブラシを保持しかつ移動させることができ、さらにブラシの固定および取り外しにおいてブラシの回転を防止できる。
【発明の効果】
【００２９】
本発明に係る敷居清掃装置および取付治具によれば、ドアガイドシューをエレベータ用ドアのフレームから取り外すことなく、ブラシを交換することを可能にするという効果を奏し得る。
【図面の簡単な説明】
【００３０】
【図１】第１実施形態に係る敷居清掃装置を備えたエレベータ用ドアおよび敷居の部分斜視図である。
【図２】ドアの閉方向の先頭側より見たときの第１実施形態に係る敷居清掃装置を備えたエレベータ用ドアおよび敷居の前面断面図である。
【図３】第１実施形態に係る敷居清掃装置の部分分解斜視図である。
【図４】第２実施形態に係る敷居清掃装置の部分分解斜視図である。
【図５】第３実施形態に係る敷居清掃装置の部分分解斜視図である。
【図６】半組立体が大孔の上方にあるときの第４実施形態に係る敷居清掃装置の部分分解斜視図である。
【図７】半組立体が大孔内に挿入されているときの第４実施形態に係る敷居清掃装置の部分分解斜視図である。
【図８】第４実施形態に係る敷居清掃装置の斜視図である。
【図９】第５実施形態に係る敷居清掃装置の部分分解斜視図である。
【図１０】半組立体が構成されているときの第５実施形態に係る敷居清掃装置の部分分解斜視図である。
【図１１】第５実施形態に係る敷居清掃装置の斜視図である。
【図１２】下方から見た、第５実施形態に係る敷居清掃装置の斜視図である。
【図１３】第６実施形態に係る敷居清掃装置の部分分解斜視図である。
【図１４】半組立体が構成されているときの第６実施形態に係る敷居清掃装置の部分分解斜視図である。
【図１５】第６実施形態に係る敷居清掃装置の斜視図である。
【図１６】下方から見た、第６実施形態に係る敷居清掃装置の斜視図である。
【図１７】第７実施形態に係る敷居清掃装置の部分分解斜視図である。
【図１８】第８実施形態に係る敷居清掃装置を備えたエレベータ用ドア、取付治具、および敷居の部分斜視図である。
【図１９】第８実施形態に係る敷居清掃装置のブラシおよび取付治具の斜視図である。
【発明を実施するための形態】
【００３１】
以下、本発明の実施形態に係る敷居清掃装置および取付治具を、添付図面を参照しながら説明する。なお、以下の各実施形態において同一または対応する部分には同一の参照符号を付しており、これらの部分の構成についての説明は、基本的には繰り返さない。
【００３２】
図１から図３を参照して、第１実施形態に係る敷居清掃装置１０を説明する。
【００３３】
図１において、エレベータ用ドアは、ドアパネル１と、ドアパネル１に固定され、ドアパネル１の移動を案内するドアガイドシュー２と、敷居３の溝３ａを清掃する敷居清掃装置１０と、を備える。ドアパネル１は、敷居３の上方に配置されている。ドアパネル１は、ドアパネル１の側壁を形成する側部フレーム４と、側部フレーム４に固定され、ドアパネル１の下壁を形成する下部フレーム５とを備える。敷居３は、上方に開口する溝３ａを有する。
【００３４】
ドアパネル１は、敷居３に沿って、開閉方向に移動可能である。開閉方向は、閉方向Ｄ１Ａおよび開方向Ｄ１Ｂから構成される。閉方向Ｄ１Ａは、図１において右下から左上に向かう方向であり、開方向Ｄ１Ｂは、図１において左上から右下に向かう方向である。ドアパネル１の奥行き方向Ｄ２は、開閉方向および上下方向Ｄ３に対して直交する方向である。
【００３５】
図２は、閉方向Ｄ１Ａの先頭側（図１の左上側）からドアパネル１および敷居３を見た図である。図２に示されるように、下部フレーム５は、上下方向で敷居３に対して間隔を空けて配置され、溝３ａに対向している。すなわち、下部フレーム５は、敷居３よりも上方にあり、敷居３と接触していない。ドアガイドシュー２は、溝３ａ内に配置され、ドアガイドシュー２からアーム１８が延びている。アーム１８は、固定ネジ６により下部フレーム５に固定されている。この結果、ドアガイドシュー２がドアパネル１に固定されている。このため、ドアパネル１が図示せぬ駆動機構によって駆動されるときに、ドアガイドシュー２によって、ドアパネル１が敷居３の溝３ａに沿って案内される。
【００３６】
図２において、敷居清掃装置１０は、溝３ａに対向し、ドアの開閉にしたがって移動するフレームと、ブラシ１１と、フレームの下面に前記ブラシを取り外し可能に固定する止めネジ７と、を備える。本実施形態では、ドアパネル１の一部である下部フレーム５が、敷居清掃装置１０のフレームを兼用している。止めネジ７は、ブラシ１１を下部フレーム５に固定するための固定部材として、設けられている。また、止めネジ７は、バネ座金８および平座金９を介して取り付けられる。
【００３７】
ブラシ１１は、ドアガイドシュー２のドアガイドシュー２よりも閉方向Ｄ１Ａの先頭側に配置されている。図２の紙面において、ドアガイドシュー２は、ブラシ１１の背後にある。ブラシ１１は、溝３ａに接触するブラシ毛１２と、ブラシ毛１２が植毛された取付片１３とを備える。
【００３８】
図３において、敷居清掃装置１０は分解されている。止めネジ７は、軸部７ａおよび頭部７ｂを備える。下部フレーム５は、取付孔として、止めネジ７の軸部７ａを上下方向Ｄ３で挿通させる取付丸孔５０を備える。取付丸孔５０は、下部フレーム５を上下に貫通する丸孔である。取付丸孔５０は、頭部７ａまたは平座金９が取付丸孔５０から脱落しないような大きさに形成されている。取付片１３は、上面１３ａから下方に形成されたネジ穴１３ｂを有する。このため、軸部７ａが取付片１３に螺合することができる。取付丸孔５０は、ブラシ１１の固定位置を決定する。取付丸孔５０は、ドアガイドシュー２よりも閉方向Ｄ１Ａの先頭側に配置されている。
【００３９】
ブラシ１１の固定を説明する。まず、図３に示されるように、ブラシ１１が下部フレーム５の下方に配置され、止めネジ７が下部フレーム５の上方に配置される。この状態で、止めネジ７の軸部７ａが、取付丸孔５０を介して、取付片１３のネジ穴１３ｂに、ねじ込まれる。止めネジ７を締め付けることによって止めネジ７が取付片１３に螺合されると、ブラシ１１が下部フレーム５の下面に固定される。このようにして、敷居清掃装置１０の組立てが完了する。
【００４０】
ブラシ１１の取り外しを説明する。取付片１３に螺合された止めネジ７を緩めることによって、止めネジ７が取付片１３から外される。この結果、ブラシ１１が下部フレーム５から取り外される。
【００４１】
図４を参照して、第２実施形態に係る敷居清掃装置１０を説明する。
【００４２】
図４において、第２実施形態に係る敷居清掃装置１０は分解されている。第２実施形態に係る敷居清掃装置１０は、下部フレーム５、ブラシ１１、および止めネジ７を備える。第２実施形態に係る敷居清掃装置１０と第１実施形態に係る敷居清掃装置１０の間で、取付片１１の構成が変更されている。
【００４３】
第２実施形態に係る取付片１３は円柱形状を有する。このため、止めネジ７が締め付けられるときまたは緩められるときに取付片１３が回転しても、ブラシ１１の奥行き方向Ｄ２における幅が変化しない。このため、ブラシ１１の回転によってブラシ１１が溝３ａの内周面と接触することを防止できる。
【００４４】
図５を参照して、第３実施形態に係る敷居清掃装置１０を説明する。
【００４５】
図５において、第３実施形態に係る敷居清掃装置１０は分解されている。第３実施形態に係る敷居清掃装置１０は、下部フレーム５、ブラシ１１、および止めネジ７を備える。第３実施形態に係る敷居清掃装置１０と第１実施形態に係る敷居清掃装置１０の間で、取付孔の構成および取付片１１の構成が、変更されている。
【００４６】
下部フレーム５は、取付孔として、取付丸孔５０に代えて、取付角孔５１を備える。取付角孔５１は、止めネジ７の軸部７ａを上下方向Ｄ３で挿通させる貫通孔である。取付角孔５１の内周面５１ａは、４つの平面によって構成されており、平面視において、取付角孔５１は、四角形形状を有する。取付角孔５１は、頭部７ａまたは平座金９が下部フレーム５から脱落しないような大きさに形成されている。取付角孔５１は、ドアガイドシュー２よりも閉方向Ｄ１Ａの先頭側に配置されている。
【００４７】
取付片１３は、直方体形状を有する片本体１４と、片本体１４から上方に突出し、かつ直方体形状を有する短段部１５と、を備える。短段部１５の寸法は、片本体１４の寸法よりも全体的に小さく、取付片１３は、段付きの直方体形状を有する。短段部１５は、四角形形状を有する上面１３ａと、上面１３ａから下方に延びる側面１５ａとを有する。側面１５ａは、４つの平面から構成されている。短段部１５は、取付角孔５１内に挿入され、取付角孔５１の内周面５１ａと協働して、ブラシ１１の回り止めをおこなう。片本体１４は、側面１５ａの下端から側方に延びる上面１４ａを有する。上面１４ａは、四角形の輪郭を描く帯状の面である。
【００４８】
ブラシ１１の回り止め構造を説明する。取付角孔５１の内周面５１ａは、取付角孔５１の周りで止めネジ７からのトルクを受ける受け部である。短段部１５の側面１５ａは、止めネジ７からのトルクを伝達しかつ内周面５１ａに当たるトルク伝達部である。ブラシ１１が下部フレーム５に取り付けられたとき、短段部１５が取付角孔５１内に挿入され、側面１５ａが取付角孔５１の内周面５１ａに対向する。より詳しくは、側面１５ａを構成する４つの平面のそれぞれが、取付角孔５１の内周面５１ａを構成する４つの平面のそれぞれに対向する。ここで、側面１５ａと内周面５１ａとの間にほとんど隙間はない。このため、止めネジ７からのトルクは、短段部１５の側面１５ａを介して、取付角孔５１の内周面５１ａで受けられる。
【００４９】
図６から図８を参照して、第４実施形態に係る敷居清掃装置１０を説明する。
【００５０】
図６において、第４実施形態に係る敷居清掃装置１０は、部分的に分解されている。第４実施形態に係る敷居清掃装置１０は、下部フレーム５、ブラシ１１、および止めネジ７を備える。第４実施形態に係る敷居清掃装置１０と第１実施形態に係る敷居清掃装置１０の間で、取付孔の構成が、変更されている。また、第４実施形態に係る敷居清掃装置１０には、挿入孔５３が追加されている。
【００５１】
下部フレーム５は、取付孔として、取付丸孔５０に代えて、長孔状の取付長孔５２を備える。また、下部フレーム５は、ブラシ毛１２および取付片１３の全体を上下方向で挿通させる挿入孔５３を備える。取付長孔５２は、挿入孔５３に連続しており、挿入孔５３および取付長孔５２によって１つのダルマ孔７０が構成されている。ダルマ孔７０は、ドアガイドシュー２よりも閉方向Ｄ１Ａの先頭側に配置されている。取付長孔５２は、挿入孔５３から開方向Ｄ１Ｂに延びている。
【００５２】
ブラシ１１の回り止め構造を説明する。取付長孔５２の内周面５２ａは、取付長孔５２の周りで止めネジ７からのトルクを受ける受け部である。ここで、取付長孔５２の内周面５２ａは、奥行き方向Ｄ２で互いに対向する一対の平面を有する。ブラシ１１が下部フレーム５に取り付けられたとき、短段部１５が取付角孔５１内に挿入され、側面１５ａの２つの平面が、内周面５２ａ内の一対の平面に対向する。より詳しくは、側面１５ａにおいて奥行き方向Ｄ２で互いに対向する一対の平面が、内周面５２ａにおいて奥行き方向Ｄ２で互いに対向する一対の平面に、それぞれ対向する。ここで、奥行き方向Ｄ２において、側面１５ａと内周面５２ａとの間にほとんど隙間はない。このため、止めネジ７からのトルクは、短段部１５の側面１５ａを介して、取付長孔５２の内周面５２ａで受けられる。
【００５３】
次に、敷居清掃装置１０におけるブラシ１１の固定を説明する。図６に示されるように、ブラシ１１の固定に先立って、止めネジ７を部分的に取付片１３に締め付けることによって、半組立体１００が構成される。半組立体１００において、止めネジ７の頭部７ｂと取付片１３との間で、軸部７ａが露出している。
【００５４】
次に、図７に示されるように、半組立体１００が挿入孔５３内に挿入される。さらに、露出した軸部７ａが取付長孔５２内に挿入されると、半組立体１００は取付長孔５２に沿って移動できる。
【００５５】
図８に示されるように、半組立体１００が取付長孔５２上の所望の位置にあるときに、半組立体１００の止めネジ７が締め付けられる。このとき、上述したように、止めネジ７からのトルクは、取付長孔５２の内周面５２ａで受けられる。このため、止めネジ７の回転に伴ってブラシ１１が下部フレーム５に対して回転することはない。止めネジ７の締め付けによって止めネジ７が取付片１３に螺合されると、ブラシ１１が下部フレーム５に固定される。このようにして、敷居清掃装置１０の組立てが完了する。
【００５６】
敷居清掃装置１０におけるブラシ１１の取り外しを説明する。まず、取付片１３に螺合された止めネジ７を緩めることによって、半組立体１００が構成される。次に、半組立体１００が取付長孔５２に沿って挿入孔５３内へ移動される。最後に、半組立体１００が挿入孔５３から上方に抜き取られる。
【００５７】
図９から図１２を参照して、第５実施形態に係る敷居清掃装置１０を説明する。
【００５８】
図９において、第５実施形態に係る敷居清掃装置１０は分解されている。第５実施形態に係る敷居清掃装置１０は、下部フレーム５、ブラシ１１および止めネジ７を備える。第５実施形態に係る敷居清掃装置１０と第４実施形態に係る敷居清掃装置１０の間で、取付孔の構成、取付片の構成、およびトルク伝達部の構成が、変更されている。
【００５９】
第５実施形態に係るブラシ１１は、ブラシ毛１２と、取付片１３と、取付片１３に固定され、止めネジ７からのトルクを伝達するトルク伝達部２０と、を備える。第５実施形態に係る取付片１３は、直方体形状を有する片本体１４と、片本体１４から上方に突出し、かつ直方体形状を有する長段部１６と、を備える。
【００６０】
長段部１６の寸法は、片本体１４の寸法よりも全体的に小さく、取付片１３は、段付きの直方体形状を有する。つまり、第５実施形態に係る長段部１６は、第３実施形態に係る短段部１５の形状と同様の形状を有する。しかし、長段部１６の高さは、短段部１５の高さよりも大きい。長段部１６は、四角形形状を有する上面１３ａと、上面１３ａから下方に延びる側面１６ａとを有する。側面１６ａは、４つの平面から構成されている。
【００６１】
トルク伝達部２０は、支持板２１と突出ネジ２４とを備える。トルク伝達部２０は、取付片１３に取り外し可能に連結される。支持板２１は、板状部材であって、角孔である貫通孔２２と、ネジ孔２３とを備える。貫通孔２２の内周面は、４つの平面によって構成されており、平面視において、貫通孔２２は、四角形形状を有する。貫通孔２２は、頭部７ａまたは平座金９が下部フレーム５から脱落しないような大きさに形成されている。また、ネジ孔２３は、突出ネジ２４と螺合するように構成されている。
【００６２】
下部フレーム５は、取付孔として、取付丸孔５０または取付長孔５２に代えて、丸孔状の取付大孔５４を備える。取付大孔５４は、挿入孔５３から開方向Ｄ１Ｂの先頭側に配置され、長段部１６を挿通させる大きさを有する。取付大孔５４は、挿入孔５３に連続しており、挿入孔５３および取付大孔５４によって１つのダルマ孔７０が構成されている。
【００６３】
次に、敷居清掃装置１０におけるブラシ１１の固定を説明する。
【００６４】
図１０に示されるように、ブラシ１１の固定に先立って、止めネジ７を、支持板２１を介して部分的に取付片１３に締め付けることによって、半組立体１００が構成される。半組立体１００において、支持板２１と取付片１３との間で、軸部７ａが露出している。この状態で、半組立体１００が挿入孔５３内に挿入される。さらに、露出した軸部７ａが取付大孔５４内に挿入される。軸部７ａの開方向Ｄ１Ｂへの移動に伴って、支持板２１も開方向Ｄ１Ｂに移動し、支持板２１のネジ孔２３が挿入孔５３の上方に到達する。この状態で、止めネジ７が上方に引き上げられると、長段部１６が、取付大孔５４を通過して、支持板２１の貫通孔２２内に挿入される。
【００６５】
図１１に示されるように、長段部１６が貫通孔２２内にあるときに、支持板２１に突出ネジ２４が螺合される。
【００６６】
図１２に示されるように、この結果、突出ネジ２４が挿入孔５３の内周面に当たる。この状態で、半組立体１００の止めネジ７が締め付けられる。止めネジ７の締め付けによって軸部７ａが取付片１３に螺合されると、ブラシ１１が下部フレーム５に固定される。このようにして、敷居清掃装置１０の組立てが完了する。
【００６７】
敷居清掃装置１０におけるブラシ１１の取り外しを説明する。まず、突出ネジ２４が支持板２１から取り外される。次に、取付片１３に螺合された止めネジ７を緩めることによって、軸部７ａが露出した半組立体１００が構成される。次に、取付大孔５４内に軸部７ａのみが残るように、長段部１６が下方に取付大孔５４から抜かれる。次に、半組立体１００が挿入孔５３内へ移動される。最後に、半組立体１００が挿入孔５３から上方に抜き取られる。
【００６８】
図９を参照して、ブラシ１１の回り止め構造を説明する。取付大孔５４の内周面５４ａは、取付大孔５４の周りで止めネジ７からのトルクを受ける受け部である。敷居清掃装置１０が組み立てられたときに、支持板２１から突出する突出ネジ２４が挿入孔５３の内周面５３ａに当たる。ここで、内周面５３ａの曲率半径は、止めネジ７の軸心から突出ネジ２４の軸心までの長さよりも小さい。このため、内周面５３ａは、止めネジ７周りのトルクによって突出ネジ２４が移動することを制止する。また、敷居清掃装置１０が組み立てられたときに、長段部１６が取付大孔５４を介して貫通孔２２内に挿入され、側面１６ａが貫通孔２２の内周面２２ａに対向する。より詳しくは、側面１６ａを構成する４つの平面のそれぞれが、内周面２２ａを構成する４つの平面のそれぞれに対向する。ここで、側面１６ａと内周面２２ａとの間にほとんど隙間はない。したがって、止めネジ７からのトルクは、取付片１３、トルク伝達部２０を介して、内周面５３ａで受けられる。このため、止めネジ７の回転に伴ってブラシ１１が回転することはない。
【００６９】
図１３から図１６を参照して、第６実施形態に係る敷居清掃装置１０を説明する。
【００７０】
図１３において、第６実施形態に係る敷居清掃装置１０は分解されている。第６実施形態に係る敷居清掃装置１０は、下部フレーム５、ブラシ１１および止めネジ７を備える。第６実施形態に係る敷居清掃装置１０と第５実施形態に係る敷居清掃装置１０の間で、トルク伝達部の構成が、変更されている。
【００７１】
トルク伝達部２０は、支持板２１と突出部２５とを備える。トルク伝達部２０は、取付片１３に取り外し可能に連結される。突出部２５は、支持板２１から屈曲して延びている。支持板２１が下部フレーム５上に配置されているときに、突出部２５は支持板２１よりも下方に突出する。つまり、第６実施形態に係る支持板２１は、第５実施形態に係るネジ孔２３を有しないが、支持板２１には突出部２５が設けられている。
【００７２】
次に、敷居清掃装置１０におけるブラシ１１の固定を説明する。第６実施形態に係る敷居清掃装置１０も、第５実施形態に係る敷居清掃装置１０の組立てと同様に組み立てられる。
【００７３】
図１４に示されるように、ブラシ１１の固定に先立って、止めネジ７を、支持板２１を介して部分的に取付片１３に締め付けることによって、半組立体１００が構成される。半組立体１００において、支持板２１と取付片１３との間で、軸部７ａが露出している。この状態で、半組立体１００が挿入孔５３内に挿入される。この状態で、露出した軸部７ａが取付大孔５４内に挿入される。軸部７ａの開方向Ｄ１Ｂへの移動に伴って、トルク伝達部２０も開方向Ｄ１Ｂに移動し、突出部２５が挿入孔５３の上方に到達する。この状態で、止めネジ７が上方に引き上げられると、長段部１６が取付大孔５４を通過して、支持板２１の貫通孔２２内に挿入される。
【００７４】
図１５に示されるように、長段部１６が取付大孔５４内にあるときに、突出部２５は挿入孔５３内にある。
【００７５】
図１６に示されるように、この結果、突出部２５が挿入孔５３の内周面５３ａに当たる。この状態で、半組立体１００の止めネジ７が締め付けられる。止めネジ７の締め付けによって止めネジ７が取付片１３に螺合されると、ブラシ１１が下部フレーム５に固定される。このようにして、敷居清掃装置１０の組立てが完了する。
【００７６】
図１３を参照して、ブラシ１１の回り止め構造を説明する。敷居清掃装置１０が組み立てられたときに、支持板２１から突出する突出部２５が挿入孔５３の内周面５３ａに当たる。ここで、内周面５３ａの曲率半径は、止めネジ７の軸心から突出部２５の軸心までの長さよりも小さい。このため、内周面５３ａは、止めネジ７周りのトルクによって突出ネジ２４が移動することを制止する。また、敷居清掃装置１０が組み立てられたときに、長段部１６が取付大孔５４を介して貫通孔２２内に挿入される。したがって、止めネジ７からのトルクは、取付片１３、トルク伝達部２０を介して、内周面５３ａで受けられる。このため、止めネジ７の回転に伴ってブラシ１１が回転することはない。
【００７７】
図１７を参照して、第７実施形態に係る敷居清掃装置１０を説明する。
【００７８】
図１７において、第７実施形態に係る敷居清掃装置１０は、分解されている。第７実施形態に係る敷居清掃装置１０は、下部フレーム５、ブラシ１１、および止めネジ７を備える。第７実施形態に係る敷居清掃装置１０と第１実施形態に係る敷居清掃装置１０の間で、取付孔の構成が、変更されている。
【００７９】
下部フレーム５は、取付孔として、取付丸孔５０に代えて、止めネジ７の軸部７ａを上下方向で挿通させる取付長孔５５を備える。取付長孔５５は、奥行き方向Ｄ２に延びる長孔である。このため、取付長孔５５内の任意の位置で、ブラシ１１をフレーム５に固定できる。
【００８０】
図１８、図１９を参照して、第８実施形態に係る敷居清掃装置１０を説明する。
【００８１】
図１８は、第８実施形態に係る敷居清掃装置１０および取付治具６０を示している。第８実施形態に係る敷居清掃装置１０は、下部フレーム５、ブラシ１１、および止めネジ７を備える。また、第８実施形態に係る取付金具６０は、第８実施形態に係る敷居清掃装置１０のブラシ１１を保持するための治具である。第８実施形態に係る敷居清掃装置１０と第１実施形態に係る敷居清掃装置１０の間で、取付片１１の構成が、変更されている。
【００８２】
図１９において、取付片１３は、直方体に、所定方向に沿って延びる一対の平行なスリット３０Ｒ、３０Ｌが形成された形状を有する。
【００８３】
図１９に示されるブラシ１１の姿勢を基準として、取付片１３の形状を説明する。図１９において、ブラシ１１の姿勢は、下部フレーム５に固定されているときの姿勢と同じである。説明の便宜上、取付片１３に関する方向について、開閉方向を取付片１３の前後方向とし、奥行き方向Ｄ２を取付片１３の左右方向とする。
【００８４】
取付片１３の上面１３ａは、取付片１３の下部フレーム５への取付面である。取付片１３は、上面１３ａから下方に形成されたネジ穴１３ｂを有する。ネジ穴１３ｂの軸方向は、上下方向Ｄ３に等しい。取付片１３において、一対のスリット３０Ｒ、３０Ｌが、前後方向に延びている。スリット３０Ｒ、３０Ｌは、それぞれ、取付片１３の外面に形成された窪みである。右スリット３０Ｒの内面は、前後方向に延びる右側面３１Ｒ、右側面３１Ｒの上端から右側に延びる右下面３２Ｒ、および右側面３１Ｒの下端から右側に延びる右上面３３Ｒから構成されている。同様に、左スリット３０Ｌの内面は、前後方向に延びる左側面３１Ｌ、左側面３１Ｌの上端から左側に延びる左下面３２Ｌ、および左側面３１Ｌの下端から左側に延びる左上面３３Ｌから構成されている。右側面３１Ｒおよび左側面３１Ｌは、取付面としての上面１３ａに対して垂直で互いに平行な一対の面である。また、右下面３２Ｒおよび左下面３２Ｌは、右側面３１Ｒおよび左側面３１Ｌの上端からそれぞれ相反する方向に延びる一対の面である。
【００８５】
次に、取付治具６０の形状を説明する。図１９において、取付治具６０の姿勢は、下部フレーム５に固定されているブラシ１１に取り付けられるときの姿勢と同じである。取付治具６０は、一対の軸状部６１Ｒ、６１Ｌと、連結部分６２と、取手部分６３とを有する。一対の軸状部６１Ｒ、６１Ｌは、前後方向に沿って平行に延びている。一対の軸状部６１Ｒ、６１Ｌは、連結部分６２の一端から前後方向に延びており、取手部分６３は、連結部分６２の他端から上方に延びている。取手部分６３は、作業者が取付治具を手などで掴むための部位である。連結部分６２は、一対の軸状部６１Ｒ、６１Ｌを奥行き方向Ｄ２で間隔を空けて相互に固定し、一対の軸状部６１Ｒ、６１Ｌを連結する。ここで、一対の軸状部６１Ｒ、６１Ｌ間の間隔Ｗ６０は、取付片１３の右側面３１Ｒ、左側面３１Ｌ間の間隔Ｗ１３に略等しいか、若干大きい。このため、取付片１３は、一対の軸状部６１Ｒ、６１Ｌ間に入ることができる。
【００８６】
取付治具６０の一対の軸状部６１Ｒ、６１Ｌを、取付片１３の一対のスリット３０Ｒ、３０Ｌ内に挿入することによって、取付治具６０は、ブラシ１１を保持することができる。作業者は、手で取手部分６３を掴むことによって、ブラシ１１を保持できる。また、取付治具６０の奥行き方向Ｄ２における幅は、溝３ａの幅よりもせまく形成されている。このため、ブラシ１１を保持した取付治具６０を、溝３ａ内に挿入することができる。
【００８７】
本実施形態に係る敷居清掃装置および取付治具の作用、効果を説明する。
【００８８】
第１から第８実施形態のそれぞれに係る敷居清掃装置１０は、エレベータ用のドアに固定され、かつ敷居３の溝３ａ内に挿入されたドアガイドシュー２により、前記ドアが前記溝３ａに沿って案内されるエレベータの敷居清掃装置において、前記溝３ａに対向し、前記ドアの開閉にしたがって移動するフレーム５と、前記溝３ａ内に挿入されたブラシ毛１２を有するブラシ１１と、前記ドアガイドシュー２とは独立して前記フレーム５の下面に前記ブラシ１１を取り外し可能に固定する固定部材（止めネジ７）と、を備える。
【００８９】
かかる構成によれば、固定部材（７）による固定が解除されると、ブラシ１１はフレーム５から取り外される。このため、ブラシ１１は、ドアガイドシュー２の固定および取り外しと関係なく、固定されかつ取り外される。したがって、第１から第８実施形態に係る敷居清掃装置１０は、ドアガイドシュー２をエレベータ用ドアのフレーム５から取り外すことなく、ブラシ１１を交換することを可能にする。
【００９０】
ここで、以下の変更が可能である。第１から第８実施形態のそれぞれに係るフレーム５は、ドアパネル１の一部であるフレームである。本発明に係るフレームは、溝３ａに対向し、ドアにしたがって移動するフレームであれば、限定されない。本発明に係るフレームとして、例えば、ドアと別体でドアに固定されるフレーム、またはドアに連動するように構成されたフレームを採用できる。第１から第８実施形態のそれぞれに係る固定部材は、止めネジ７である。本発明に係る固定部材は、フレームの下面にブラシを着脱可能に固定する固定部材であれば、限定されない。本発明に係る固定部材として、ブラシを着脱可能に固定するスナップフィット機構、一定の外力を加えることによってブラシを着脱可能とする嵌め込み構造、または接着剤を採用できる。
【００９１】
第１から第８実施形態のそれぞれに係る敷居清掃装置１０において、前記ブラシ１１は、前記ドアガイドシュー２よりも前記閉方向Ｄ１Ａの先頭側に配置されている。
【００９２】
かかる構成によれば、ドアがエレベータの出入口を開放しているときに、開放された出入口において敷居３の溝３ａが上向きに開放されている。この状態で、ブラシ１１は、溝３ａの開放領域からフレーム５の下方に配置できる。したがって、第１から第８実施形態のそれぞれに係る敷居清掃装置１０によれば、溝３ａ内でブラシ１１を交換することができる。
【００９３】
第３から第６実施形態のそれぞれに係る敷居清掃装置１０は、前記固定部材（７）として、軸部７ａおよび頭部７ｂを有する止めネジ７を備え、前記フレーム５は、前記軸部７ａを上下方向で挿通させる取付孔（取付角孔５１、取付長孔５２、取付大孔５４）と、前記取付孔（５１、５２、５４）の周りで前記止めネジ７からのトルクを受ける受け部（内周面５１ａ、５２ａ、５３ａ）とを備え、前記ブラシ１１は、前記ブラシ毛１２が植毛されかつ前記取付孔（５１、５２、５４）に挿通された前記軸部７ａが螺合する取付片１３と、前記トルクを伝達可能に前記取付片１３に連結されかつ前記受け部（５１ａ、５２ａ、５３ａ）に当たるトルク伝達部（側面１６ａ、トルク伝達部２０）とを備える。
【００９４】
かかる構成によれば、止めネジ７がフレーム５の取付孔（５１、５２、５４）を介して取付片１３に締め付けられると、軸部７ａが取付片１３に螺合され、その結果、取付片１３がフレーム５に固定される。また、固定された取付片１３に螺合している止めネジ７が緩められると、軸部７ａの螺合が解除され、その結果、取付片１３はフレーム５から外される。また、止めネジ７が締め付けられる際、または止めネジ７が緩められる際に、止めネジ７からのトルクは、取付片１３およびトルク伝達部（１６ａ、２０）を介して受け部（５１ａ、５２ａ、５３ａ）で受けられる。この結果、止めネジ７からのトルクが発生しても、ブラシ１１は、フレーム５に対して回転しない。したがって、第３から第６実施形態に係る敷居清掃装置１０は、ブラシ１１を共回りさせることなく、止めネジ７を取付片１３に対して締め付けることおよび緩めることを可能にする。
【００９５】
ここで、以下の変更が可能である。第３から第６実施形態に係る受け部は、内周面５１ａ、５２ａ、５３ａである。本発明に係る受け部は、取付孔の周りで止めネジからのトルクを受ける受け部であれば、限定されない。また、第３から第６実施形態に係るトルク伝達部は、側面１６ａ、トルク伝達部２０である。本発明に係るトルク伝達部は、取付片に固定され、トルクを伝達しかつ受け部に当たるトルク伝達部であれば、限定されない。本発明に係る受け部およびトルク伝達部として、例えば、フレームから下方に突出するピンおよび取付片から側方に突出してピンに当たる突出片、または、フレームの下面に形成された窪みの内面および取付片から上方に突出してその窪みに入り込む突出部、を採用できる。
【００９６】
第３および第４実施形態のそれぞれに係る敷居清掃装置１０において、前記受け部は、前記取付孔（５１、５２）の内周面（５１ａ、５２ａ）の少なくとも一部で構成される。
【００９７】
かかる構成によれば、取付孔（５１、５２）の内周面（５１ａ、５２ａ）が受け部として利用される。したがって、第３および第４実施形態のそれぞれに係る敷居清掃装置１０は、専用の受け部を設ける必要がなく、構造を簡素化できる。
【００９８】
第３および第４実施形態のそれぞれに係る敷居清掃装置１０において、前記取付孔（５１、５２）の前記内周面（５１ａ、５２ａ）は、平面を有し、前記トルク伝達部は、前記平面に対向する平面（側面１６ａ）である。
【００９９】
第３および第４実施形態のそれぞれに係る敷居清掃装置１０は、受け部（５１ａ、５２ａ）およびトルク伝達部（１６ａ）がそれぞれ平面を有すればよいので、トルク伝達部および受け部の構成を簡素化できる。
【０１００】
ここで、以下の変更が可能である。第３実施形態に係る受け部は、４つの平面を有する内周面５１ａであり、第４実施形態に係る受け部は、２つの平面を有する内周面５２ａである。本発明に係る受け部は、平面を有していれば、限定されない。また、第３および第４実施形態のそれぞれに係るトルク伝達部は、４つの平面を有する側面１６ａである。本発明に係るトルク伝達部は、平面を有していれば、限定されない。本発明に係る受け部およびトルク伝達部として、それぞれ、例えば、平面と曲面との双方を含む面を採用できる。
【０１０１】
第４から第６実施形態のそれぞれに係る敷居清掃装置１０において、前記フレーム５は、前記ブラシ毛１２および前記取付片１３の全体を上下方向Ｄ３で挿通させる挿入孔５３を備え、前記取付孔（５２、５４）は、前記挿入孔５３に連続している。
【０１０２】
かかる構成によれば、止めネジ７が取付片１３に部分的に締め付けられると、止めネジ７は取付片１３に固定され、かつ止めネジ７の頭部７ａと取付片１３との間で止めネジ７の軸部７ａが露出する。この状態で、止めネジ７の頭部７ｂがフレーム５の上方に残されたまま、ブラシ毛１２および取付片１３は、フレーム５の上方から挿入孔５３を経由してフレーム５の下方に入ることができる。この状態で、止めネジ７の頭部７ｂがフレーム５の上方に残されたまま、ブラシ毛１２および取付片１３は、取付孔（５２、５４）に沿って移動できる。止めネジ７の頭部７ｂが保持されている限り、ブラシ１１の脱落が防止される。したがって、第４から第６実施形態に係る敷居清掃装置１０のそれぞれは、敷居３の溝３ａを経由することなく、フレーム５の上方からブラシ１１を交換することを可能にする。
【０１０３】
第５および第６実施形態のそれぞれに係る敷居清掃装置１０において、前記受け部は、前記挿入孔５３の内周面５３ａであり、前記トルク伝達部２０は、前記トルクを伝達可能に前記取付片１３に連結され、かつ前記フレーム５に沿って配置される支持板２１と、前記支持板２１から前記挿入孔５３内に突出する突出部（突出ネジ２４、突出部２５）と、を備える。
【０１０４】
かかる構成によれば、挿入孔５３の内周面５３ａを受け部として利用される。第５および第６実施形態のそれぞれに係る敷居清掃装置１０によれば、専用の受け部を設ける必要がなく、構造を簡素化できる。
【０１０５】
第５および第６実施形態のそれぞれに係る敷居清掃装置１０において、前記トルク伝達部２０は、前記取付片１３に取り外し可能に連結される。
【０１０６】
したがって、第５および第６実施形態のそれぞれに係る敷居清掃装置１０は、ブラシ１１の組立ての自由度を向上できる。
【０１０７】
第５実施形態に係る敷居清掃装置１０において、前記突出部は、前記支持板２１に螺合される突出ネジ２４である。
【０１０８】
したがって、第５実施形態に係る敷居清掃装置１０は、受け部（５３ａ）へのトルク伝達部２０の当りの具合を調節できる。
【０１０９】
第６実施形態に係る敷居清掃装置１０において、前記突出部２５は、前記支持板から屈曲して延びる。
【０１１０】
したがって、第６実施形態に係る敷居清掃装置１０は、支持板２１および突出部２５を容易に構成できる。
【０１１１】
第８実施形態に係る取付治具６０は、第８実施形態に係る敷居清掃装置１０のブラシ１１であって、前記取付片１３が、前記取付片１３の前記フレーム５への取付面である上面１３ａに対して垂直で互いに平行な一対の側面３１Ｒ、３１Ｌと、前記一対の側面３１Ｒ、３１Ｌの上端からそれぞれ相反する方向に延びる一対の下面３２Ｒ、３２Ｌとを有するブラシを保持するための取付治具において、前記一対の側面３１Ｒ、３１Ｌ間の距離に略等しい間隔を空けて配置され、相互に固定され、かつ平行に延びる一対の軸状部６１Ｒ、６１Ｌを備える。
【０１１２】
かかる構成によれば、取付片１３の一対の下面３２Ｒ、３２Ｌの下方で、一対の軸状部６１Ｒ、６１Ｌが取付片１３の２つの側面３１Ｒ、３１Ｌを挟むように、取付治具６０がブラシ１１に取り付けられると、ブラシ１１が取付治具６０によって支持される。ブラシ１１が取付治具６０によって支持されているとき、ブラシ１１に止めネジ７からのトルクが加えられても、ブラシ１１は、取付治具６０に対して回転しない。したがって、第８実施形態に係る取付治具６０は、取付治具６０でブラシ１１を保持し、移動させることができ、さらにブラシ１１の固定および取り外しにおいてブラシ１１の回転を防止できる。
【０１１３】
また、第７実施形態に係る取付長孔５５は、他の実施形態に係る敷居清掃装置の下部フレーム５に、適用されてもよい。
【符号の説明】
【０１１４】
１…ドアパネル、２…ドアガイドシュー、３…敷居、３ａ…溝、４…側部フレーム、５…下部フレーム、６…固定ネジ、７…止めネジ、７ａ…軸部、７ａ…頭部、８…バネ座金、９…平座金、１０…敷居清掃装置、１１…ブラシ、１２…ブラシ毛、１３…取付片、１３ａ…上面、１３ｂ…ネジ穴、１４…片本体、１４ａ…上面、１５…短段部、１５ａ…側面、１６…長段部、１６ａ…側面、１８…アーム、２０…トルク伝達部、２１…支持板、２２…貫通孔、２２ａ…内周面、２３…ネジ孔、２４…突出ネジ、２５…突出部、３０Ｌ…左スリット、３０Ｒ…右スリット、３１Ｌ…左側面、３１Ｒ…右側面、３２Ｌ…左下面、３２Ｒ…右下面、３３Ｌ…左上面、３３Ｒ…右上面、５０…取付丸孔、５１…取付角孔、５１ａ…内周面、５２…取付長孔、５２ａ…内周面、５３…挿入孔、５３ａ…内周面、５４…取付大孔、５４ａ…内周面、５５…取付長孔、６０…取付治具、６１Ｒ、６１Ｌ…一対の軸状部、６２…連結部分、６３…取っ手部分、７０…ダルマ孔、１００…半組立体、Ｄ１Ａ…閉方向、Ｄ１Ｂ…開方向、Ｄ２…奥行き方向、Ｄ３…上下方向、Ｗ１３…間隔、Ｗ６０…間隔
【図１】
0006341453.tif 000002
【図２】
0006341453.tif 000003
【図３】
0006341453.tif 000004
【図４】
0006341453.tif 000005
【図５】
0006341453.tif 000006
【図６】
0006341453.tif 000007
【図７】
0006341453.tif 000008
【図８】
0006341453.tif 000009
【図９】
0006341453.tif 000010
【図１０】
0006341453.tif 000011
【図１１】
0006341453.tif 000012
【図１２】
0006341453.tif 000013
【図１３】
0006341453.tif 000014
【図１４】
0006341453.tif 000015
【図１５】
0006341453.tif 000016
【図１６】
0006341453.tif 000017
【図１７】
0006341453.tif 000018
【図１８】
0006341453.tif 000019
【図１９】
0006341453.tif 000020